Podtech/llm-jp-corpus-v4-ja_patent huggingface dataset:
(57)【要約】      （修正有）【課題】板海苔を機械的に規則的な小さな形に切り刻んでパッケージされた様な海苔を得ようとするのではなく、食したいその時その場で必要な分だけの板海苔を砕いて、直接ご飯や料理にパラパラとまぶして、香り立つ磯の風味ごと楽しめる掌サイズの板海苔破砕具を提供する。【解決手段】略筒箱体状把持部１は、長さ方向の両端は開放されており、四方壁面の一方面の長手中央線に沿って、端から端まで通しで細長く開口された板海苔挿通口４を成し、板海苔挿通口４に対向する内壁面にピッタリ添う形で、板海苔を切り砕く破砕刃３を備えた破砕刃盤２が設置されることになる。破砕刃盤２において、盤面の長手中心線に沿って、左右交互に均等にズレて千鳥配置状に、三角形切り起し打ち抜き状に突設させて、３個もしくは複数の破砕刃３が設けてあり、破砕刃３を突設させた側の裏面が、把持部１における設置面にピッタリ結合して一体化されている。【選択図】図１
0003223958.tif 000002
【実用新案登録請求の範囲】
【請求項１】
薄い金属板で成る掌サイズの略筒箱体と、その内部に設置される破砕刃盤とが、一体的に結合された構成であって、
略筒箱体において、
長さ方向の両端は開放されており、四方壁面の一方面の長手中央線に沿って、端から端まで通しで細長く開口された板海苔挿通口を成し、
板海苔挿通口に対向する内壁面にピッタリ添う形で、板海苔を切り砕く破砕刃を備えた破砕刃盤が設置されることになるのであるが、使用に際しては、この略筒箱体そのものが、外側を一方の掌にしっかり把持される把持部を成すのであり、
破砕刃盤において、
盤面の長手中心線に沿って、左右交互に均等にズレて千鳥配置状に、三角形切り起し打ち抜き状に突設させて、３個もしくは複数の破砕刃が設けてあり、破砕刃を突設させた側の裏面が、把持部における設置面にピッタリ結合して一体化されている、
ということを特徴とする板海苔破砕具。
【考案の詳細な説明】
【技術分野】
【０００１】  本考案は、板海苔を細かく砕くために手で握って操作する板海苔破砕具に関するものである。
【背景技術】
【０００２】  従来、板海苔に孔をあけるカッターが知られている（特許文献１参照）。
また、板海苔を細かい筋状に刻む用具も知られている（特許文献２参照）。
【先行技術文献】
【特許文献】
【０００３】
【特許文献１】実用新案登録第３１３９５６０号公報
【特許文献２】実開平４−１１２３３９号公報
【考案の概要】
【考案が解決しようとする課題】
【０００４】  上記の先行技術には、次の様な問題点があった。
（イ）特許文献１に示される先行技術は、定形の孔をあけるだけであり、見た目の珍しさに一寸気を引くにすぎず、構造も複雑である。
（ロ）特許文献２に示される先行技術は、海苔を規則的な筋状に刻むために、ハンドルを回してたくさんの刃を回転させる機構体であって、どうみてもコスト高である。
（ハ）海苔の風味は何よりも「砕く」に限るのだが、手で細かく「ちぎる」のは思ったより結構難しい作業でもあり、また、板海苔の板面のあちらこちらに指先を何度も押つけることになり、衛生的とは言えない。
本考案は、以上のような問題点を解決しようとするものである。
【課題を解決するための手段】
【０００５】  薄い金属板で成り、使用時に把持部となる略筒箱体と、その内部に設置される破砕刃盤とが、一体的に結合された構成である。
略筒箱体状把持部において、長さ方向の両端は開放口を成し、四方壁面の一方面の長手中央線に沿って、端から端まで通しで細長く開口された板海苔挿通口を成し、板海苔挿通口に対向する内壁面にピッタリ添う形で、板海苔を切り砕く破砕刃を備えた破砕刃盤が設置されることになる。
破砕刃盤において、盤面の長手中心線に沿って、左右交互に均等にズレて千鳥配置状
に、三角形切り起し打ち抜き状に突設させて、３個もしくは複数の破砕刃が設けてあり、破砕刃を突設させた側の裏面が、把持部における設置面にピッタリ結合して一体化されている。
使用に際しては、一方の手で把持部をしっかり把持して、他方の手に持った板海苔の一辺を、板海苔挿通口の一端側から挿し込んで他端側へスライドさせていくと、千鳥状に突設された破砕刃にランダムに接触する度毎に、板海苔は不規則に破砕されて香ばしい風味を発散させつつパラパラと落ちていく。
以上を特徴とする板海苔破砕具である。
【考案の効果】
【０００６】  手動で、極く簡単に操作でき、丁度手指先で細かくちぎり砕くのと同様な、何とも食欲をそそる新鮮な風味が失われる時を置かないで、かつ直接手が板海苔に触れない形で、その時必要な分だけ砕き海苔を満喫できる。
お椀によそいだご飯の真上で破砕し、パラパラとまぶして、即新鮮な風味を頬張るのは、誠に格別である。
収納も、箸やスプーン１本分のスペースで事足り、食卓上に常備しても邪魔にならない。
【図面の簡単な説明】
【０００７】
【図１】本発明の斜視図
【図２】本発明において、略筒箱体の解放口側から見た側面図
【図３】本発明の一部である破砕刃盤の平面図
【考案を実施するための形態】
【０００８】  以下、本考案の実施の形態について説明する。
略筒箱体状把持部（１）は、長さ方向の両端は開放されており、四方壁面の一方面の長手中央線に沿って、端から端まで通しで細長く開口された板海苔挿通口（４）を成し、板海苔挿通口（４）に対向する内壁面にピッタリ添う形で、板海苔を切り砕く破砕刃
（３）を備えた破砕刃盤（２）が設置されることになる。
破砕刃盤（２）において、盤面の長手中心線に沿って、左右交互に均等にズレて千鳥配置状に、三角形切り起し打ち抜き状に突設させて、３個もしくは複数の破砕刃（３）が設けてあり、破砕刃（３）を突設させた側の裏面が、把持部（１）における設置面にピッタリ結合して一体化されている。
図１では、細い板海苔挿通口（４）側から見て、破砕刃盤（２）面から破砕刃（３）を切り起した形の一部が隠れて見えているが、図３では、破砕刃盤（２）から三角形状に切り起された破砕刃（３）と切り起し孔（５）、及びその配置の特徴が分かりやすく示してある。
図２では、把持部（１）を成す略筒箱体の開放口側から見て、千鳥状にズレて切り起してある破砕刃（３）の角度が分かりやすく示してある。
本考案は以上の様な構成であり、以下、その具体的な使用法を説明する。
使用に際しては、一方の手で把持部（１）をしっかり把持して、他方の手に持った板海苔（Ａ）の一辺を、板海苔挿通口（４）の一端側から挿し込んで他端側へスライドさせていくと、千鳥状に突設された破砕刃（３）にランダムに接触する度毎に、板海苔は不規則に砕かれた板海苔（Ｂ）になって、香ばしい風味を発散させつつパラパラと落ちていく。
その間、板海苔（Ａ）には手が直接触れることはなく、見た目にもとても衛生的である。
【符号の説明】
【０００９】１  把持部
２  破砕刃盤
３  破砕刃
４  板海苔挿通口
５  破砕刃切起し孔
【図１】
0003223958.tif 000003
【図２】
0003223958.tif 000004
【図３】
0003223958.tif 000005
(57)【要約】【課題】製作しやすく、身体への装着性が良好であり、足を吊り上げ歩行を補助する作用が十分に発揮される健康歩行具を提供すること。【解決手段】足の親指または足先全体を下から支える環状の足先保持部材１と、この足先保持部材に連なり弾性材からなる紐状の伸縮部材２と、この伸縮部材の上記足先保持部材とは反対側端部に連なる非弾性材からなる身体装着部材３を有する健康歩行具。【選択図】図３
0003223952.tif 000002
【実用新案登録請求の範囲】
【請求項１】
人体の足の親指または足先全体を下から支えるための環状の足先保持部材と、この足先保持部材に連なり弾性材からなる伸縮部材と、この伸縮部材の上記足先保持部材とは反対側の端部に連なる非弾性材からなる身体装着部材とを有することを特徴とする健康歩行具。
【請求項２】
請求項１において、上記伸縮部材の長さは身体への非装着時に２０ｃｍ以上５０ｃｍ以下であることを特徴とする健康歩行具。
【請求項３】
請求項１または請求項２において、上記足先保持部材と上記伸縮部材とは連続したゴムテープにより構成され、上記足先保持部材はゴムテープをクロスさせて生じる環状部分とし、上記クロスする部分には内部にゴムテープを通すことによって環状部分が形成されるテープガイドが形成されていることを特徴とする健康歩行具。
【考案の詳細な説明】
【技術分野】
【０００１】  本考案は、高齢者、脚力の弱い者等、自力で歩行することに支障を伴う人に対して、歩行が容易になるように補助するための健康歩行具に関する。
【背景技術】
【０００２】  歩行を補助するために階段の手摺りや杖の利用があるが、それらは手を使うものであり、それなりのエネルギーが必要となる。また、特許文献１には、輪状の弾性部材を足底から腰または肩に掛けて、弾性力によって足を吊り上げるようにした歩行補助具が開示されている。
【先行技術文献】
【特許文献】
【０００３】
【特許文献１】特開２００４−３３７５６１号公報
【考案の概要】
【考案が解決しようとする課題】
【０００４】  特許文献１に記載された歩行補助具は、足を吊り上げる部材全体が輪状の弾性体からなるものであり、製作性及び身体への装着性に難点があるとともに、足を吊り上げる作用が不十分であり、実用化に難点がある。
本考案の目的は従来技術の欠点を解決し、製作しやすく、身体への装着性が良好であり、足を吊り上げ歩行を補助する作用が十分に発揮される実用的な健康歩行具を提供することにある。
【課題を解決するための手段】
【０００５】  本考案の健康歩行具は、足の親指または足先全体を下から支える環状の足先保持部材と、この足先保持部材に連なり弾性材からなる紐状の伸縮部材と、この伸縮部材の上記足先保持部材とは反対側端部に連なる非弾性材からなる身体装着部材を有する。弾性材としては市販のゴムベルトやゴムチューブ等が使用できる。伸縮部材の長さは、身長や弾性材の弾性力等により適宜調節するが、この健康歩行具を人体に装着したときに概ね足首から膝下の長さとなるようにする。例えば、非装着時の長さが２０ｃｍ以上５０ｃｍ以下とすることができる。環状の足先保持部材の材料は弾性材でも非弾性材でもよい。足先保持部材を弾性材とすれば、伸縮部材と一体に成形できる。
【考案の効果】
【０００６】  本考案の健康歩行具を使用すれば、歩行の際、両足底を吊り上げることで、歩行の場合の足先底を下げやすくなり、歩行に要する体力が軽減されるという効果がある。また、非弾性材からなる身体装着部材は布テープ等を使用できるので縫製等の加工が容易であり、身体（衣服）への装着も容易であり、実用性が高い。
【図面の簡単な説明】
【０００７】
【図１】本考案の健康歩行具を身体に装着した状態を示す図。
【図２】本考案に係る身体腰部装着用の健康歩行具を示す図。
【図３】本考案に係る身体肩部装着用の健康歩行具を示す図。
【考案を実施するための形態】
【０００８】  以下、図面を用いて本考案を実施するための形態例を説明する。図１は本考案の健康歩行具を身体に装着した状態を示し、（ａ）は腰部に、（ｂ）は肩部にそれぞれ装着した場合を示す。
【０００９】  図２は身体腰部装着用の健康歩行具を示し、１はゴムテープからなる環状の足先保持部材、２はゴムテープからなる紐状の伸縮部材、３は布テープからなる身体装着部材、３１は身体装着部材３が固定されるベルト、４は身体装着部材３の長さを装着者の身長に合わせて調節し所望の長さに固定する調節部材であり、周知のフックや面ファスナーが使用可能である。ゴムテープとしては、幅２ｃｍ〜５ｃｍ、厚さ０．１ｍｍ〜０．２ｍｍ、弾力性１．３倍〜２．０倍のものが好適である。
【００１０】  図３は身体右肩部（ａ）、左肩部（ｂ）に装着用の健康歩行具を示し、図２と異なるのは身体装着部材である。図３において身体装着部材３は装着者の肩部に掛かる長さにされる。その場合、図１（ｂ）に示すように、右足と左肩、左足と右肩にクロスするように掛けるのが、外れにくく使用上好ましい。
【００１１】  図２および図３の足先保持部材１は足先全体を支えるものであるが、足先全体ではなく足の親指のみを支えるものであっても良い。本考案者の試行によれば、歩行補助効果は足の裏全体よりも、つま先を引き上げる力により、大きく発揮されるからである。この場合、足先保持部材１は親指に合わせてやや小型に成形される。または、材料となるゴムテープの一部に、スラックスにおけるベルトガイドの如くテープガイドを設け、このテープガイドにゴムテープを通すことによって環状の足先保持部材１を構成しても良い。このようにすれば、環状の足先保持部材１の長さ、すなわち輪の大きさが調節でき、装着したときに外れにくいという効果もある。このテープガイドは、布テープ等をゴムテープが通るようにゴムテープに縫い付けることにより形成できる。
【００１２】  また、本考案者の試行によれば、ゴムテープからなる紐状の伸縮部材の長さは２０ｃｍから５０ｃｍの範囲が好ましい。２０ｃｍより短いと足の引き上げ力が弱くなって効果的な歩行補助ができない。５０ｃｍより長いと伸縮の程度が大きくなり実用的でない。
【符号の説明】
【００１３】１  足先保持部材
２  伸縮部材
３  身体装着部材
４  調節部材
【図１】
0003223952.tif 000003
【図２】
0003223952.tif 000004
【図３】
0003223952.tif 000005
(57)【要約】      （修正有）【課題】食品収納容器を洗浄する際、蓋とトングの連結部などに食品の内容液や内容物が残ることがなく、トングに内容物が付着して残ることもない食品収納容器のトング付蓋を提供する。【解決手段】可撓性を有する蓋１の内側に、回転軸３を有するトング２の力点端部が回動自在に連結され、トングが連結されている箇所の蓋１の外側縁部５を指で挟み蓋１を折り曲げてトング２を使用する食品収納容器のトング付蓋に於いて、トング２が蓋１に着脱自在に連結されている。蓋１にしっかり連結されかつ容易に脱すことができるように、連結の構造を、トング２側は力点端部に設けられた円柱軸で、蓋１側を円形穴とする。【選択図】図３
0003223971.tif 000002
【実用新案登録請求の範囲】
【請求項１】
可撓性を有する蓋の内側に、回転軸を有するトングの力点端部が回動自在に連結され、トングが連結されている箇所の蓋の外側縁部を指で挟み蓋を折り曲げてトングを使用する食品収納容器のトング付蓋に於いて、トングが蓋に着脱自在に連結されていることを特徴とする食品収納容器のトング付蓋。
【請求項２】
連結の構造が、トングは力点端部に設けられた円柱軸であり、蓋が円形穴である、請求項１に記載の食品収納容器のトング付蓋。
【請求項３】
蓋が折り曲がるラインに直交するように蓋に厚肉部を設け弾性力を増強した請求項１又は２に記載の食品収納容器のトング付蓋。
【考案の詳細な説明】
【技術分野】
【０００１】
本考案は、回転軸を有するトングを蓋の内面に連結し、蓋を折り曲げてトングを使用できるようにした、食品収納容器のトング付蓋に関する。
【背景技術】
【０００２】
従来、回転軸を有するトングを蓋の内面に連結し、手で蓋を折り曲げトングで食品を挟み、手を緩めてトングを開き食品を離し使用する、食品収納容器のトング付蓋が報告されている。
【先行技術文献】
【特許文献】
【０００３】
【特許文献１】特開２０１５−１３０９８５号公報
【考案の概要】
【考案が解決しようとする課題】
【０００４】
食品収納容器を洗浄する際、トング付蓋の連結部などに食品の内容液や内容物が残る虞れがあった。
【０００５】
また、蓋を折り曲げ食品を挟んだ後、手を緩めてトングを開き食品を離す際、蓋とトングの開き（即ち蓋が元の形状に戻ろうとする動き）が遅く、扱い難く感じる人や、使用時の環境温度が上がって蓋の弾性力が低下する等でそのような状況になることがあった。
【課題を解決するための手段】
【０００６】
本考案は、可撓性を有する蓋の内側に、回転軸を有するトングの力点端部が回動自在に連結され、トングが連結されている箇所の蓋の外側縁部を指で挟み蓋を折り曲げてトングを使用する食品収納容器のトング付蓋に於いて、トングが蓋に着脱自在に連結されていることを特徴とする食品収納容器のトング付蓋とする。好ましくは、蓋にしっかり連結されかつ容易に脱すことができるように連結部は、トング側が力点端部に設けられた円柱軸で、蓋側を円形穴とする。
【０００７】
また、手を緩めてトングを開き食品を離す際、トングの開き、即ち蓋が元の形状に戻ろうとする動きが強く、早く戻るように、蓋が折り曲がるラインに直交するように厚肉部を設け弾性力を上げる。
【考案の効果】
【０００８】
本考案は、トングが蓋に着脱自在に連結されるため、食品収納容器を洗浄する際は、トングを蓋から外して洗浄できるので、蓋とトングの嵌合部に食品の内容液が残ることがなく、トングに内容物が付着して残ることもない。
【０００９】
また、蓋が折り曲がるラインに直交するように蓋に厚肉部を設け弾性力を増強することで、手を緩めてトングを開き食品を離す際に強い力で早く戻るようになる。さらには、元の形状に戻ろうとする弾性力を上げる手段が蓋の広範囲ではなく極一部分のみの厚肉化であるため、蓋を折り曲げる際に従来と殆ど変わらない力で楽に折り曲げる事ができ、また、蓋を形成する原料の量が殆ど変わらないので商品の値上げには繋がらず商品力を維持できる。
【図面の簡単な説明】
【００１０】
【図１】本発明の実施例１の正面図である。
【図２】平面図である。
【図３】底面図である。
【図４】下方からの斜視図である。
【図５】正面図のＡ−Ａ線断面図である。
【図６】トングの斜視図である。
【図７】蓋の底面図である。
【図８】正面に対応する食品収納容器の断面図である。
【図９】使用状態を示す参考図である。
【図１０】本発明の実施例２の蓋の底面図である。
【考案を実施するための形態】
【００１１】
以下、図示の実施の形態に基づき本発明を説明する。
図１〜図９は、本発明の実施例１を示す。
【実施例１】
【００１２】
図１から図９より、本発明の食品収納容器のトング付蓋は、可撓性を有する蓋１の内側に、回転軸３を有するトング２がトングの力点端部が回動自在かつ着脱自在に連結され、トング２が連結されている箇所の蓋の外側縁部５を指で挟み蓋１を折り曲げてトング２を用いる。可撓性を有するために実施例１では蓋１はゴムや熱可塑性エラストマーなど弾性のある柔軟な素材で形成する。蓋１が可撓性を有している上に、トング２との連結が着脱自在を元に嵌合形状及び寸法が設定されるのでトング付蓋の洗浄の際は蓋１からトング２を容易に引き抜く事ができ、洗浄後はトング２を蓋１に押圧して容易に連結することができる。トング２は合成樹脂や金属など様々な素材で形成すればよいが安価にして商品力を高めるためには熱可塑性の汎用合成樹脂製とするのが好ましい。なお、図では蓋１は正方形であるが、これに限定されることはなく例えば長方形でも円形でも良い。トング２も略フォーク形状であるが、これに限定されることはなく例えばスプーン形状でも良い。
【００１３】
蓋１に回動自在かつ着脱自在に連結される構造は色々考えられるが、トング２の力点端部に設けられた円柱軸６が、蓋１に設けられた円形穴７に嵌合するのがしっかり嵌合されて容易に外すこともできるので好ましい。
【００１４】
図５と図７にあるように、蓋１が折り曲がるラインに直交するように蓋１に厚肉部８を設け弾性力を増強するのが、トング２を開く際に強く早く開くので好ましい。また、図では厚肉部８は１本の帯で記載されているが、複数本に分けることもできる。
【実施例２】
【００１５】
蓋１に可撓性を持たせる手段として蓋１を汎用の合成樹脂で形成し、図１０にあるように、折り曲げるラインに折曲溝９を複数本設けて蓋が折り曲がるようにすることもできる。同様にトング２を蓋１から外す際に蓋１の円形穴７が開いて外れるように折曲溝９を設けることもできる。
【符号の説明】
【００１６】
１    蓋
２    トング
３    回転軸
４    連結部
５    外側縁部
６    円柱軸
７    円形穴
８    厚肉部  
９    折曲溝
【図１】
0003223971.tif 000003
【図２】
0003223971.tif 000004
【図３】
0003223971.tif 000005
【図４】
0003223971.tif 000006
【図５】
0003223971.tif 000007
【図６】
0003223971.tif 000008
【図７】
0003223971.tif 000009
【図８】
0003223971.tif 000010
【図９】
0003223971.tif 000011
【図１０】
0003223971.tif 000012
(57)【要約】      （修正有）【課題】簡単に名前を付けることができる靴下を提供する。【解決手段】靴下の口ゴムの近辺や内側の見えにくい所に名前の書ける布のタグ２を縫い付ける。【選択図】図１
0003223931.tif 000002
【実用新案登録請求の範囲】
【請求項１】
靴下に名前の書ける布のタグを縫い付けることを特徴とする名前の書けるタグの付いた靴下。
【考案の詳細な説明】
【技術分野】
【０００１】本考案は、靴下に名前の書けるタグを予め縫い付けた靴下に関するものである。
【背景技術】
【０００２】靴下は、下肢の足の部分及下腿等の部分に穿くものであり、色、形様々なものが商品として出回っており、広く利用されている。
【考案の概要】
【考案が解決しようとする課題】
【０００３】靴下に名前を書こうとすると、冬物等は素材自体が書きにくいものである上、紺、黒等濃い色には、マジックで書いてもほとんどみえない。それで、アイロンテ−プ等を貼りつけたり、オリジナルの名前テ−プを業者に注文したりして手間がかかる。
【課題を解決するための手段】
【０００４】靴下にあらかじめ、リボン等名前を書ける布を縫い付けておく。
【考案の効果】
【０００５】介護施設に通所したり、入所したりしている高齢者の靴下に名前が付けやすくなる。【０００６】子どもの靴下に名前が付けやすくなる。
【図面の簡単な説明】
【０００７】
【図１】あらかじめ、名前の書ける布で出来たタグを縫い付けた靴下
【考案を実施するための形態】
【０００８】靴下の口ゴムの近辺に、名前の書ける布のタグを縫い付ける。内側の見えにくい所に縫い付けてもいい。携帯するハンカチ、濃い色の下着、スラックス、喪服用草履、介護用の色の濃い靴等様々なものに応用できる。また、色々なものの右、左の印つけとしても使える。
【符号の説明】
【０００９】１靴下
２名前の書ける布のタグ
【図１】
0003223931.tif 000003
(57)【要約】      （修正有）【課題】ガラス製のペン先を着脱できる実用的な筆記具を提供する。【解決手段】ガラス製ペン先１が接続部Ａを有し、穴部Ｂを有するペン軸２にペン先を着脱自在に取り付けられる筆記具である。ペン軸の穴部が奥に向かって穴径が小さくなるテーパー構造を有することが好ましい。【選択図】図１
0003223923.tif 000002
【実用新案登録請求の範囲】
【請求項１】
ガラス製ペン先が接続部を有し、穴部を有するペン軸に着脱自在に取り付けられた筆記具。
【請求項２】
ペン軸の穴部が奥に向かって穴径が小さくなるテーパー構造を有する請求項1に記載の筆記具。
【考案の詳細な説明】
【技術分野】
【０００１】
本考案は、ペン先がガラス製の筆記具に関するものである。
【背景技術】
【０００２】
ガラスペンは、つけペンの1種でガラス製のペンであり、明治３５年に日本の風鈴職人だった、佐々木定次郎によって考案された。当時はペン先だけがガラス製で竹軸に差し込んで接着固定された使いきりの筆記具であった。
平成元年よりペン軸まですべてガラス製のガラスペンが主流となり、竹軸ガラスペンは衰退消滅した。その本体がすべて一体物のガラス製であるがゆえに、破損または摩耗劣化した場合において、修理およびメンテナンスがユーザーにとって困難であった。
【先行技術文献】
【特許文献】
【０００３】
【特許文献１】特開2009-172300号  公報
【考案の概要】
【考案が解決しようとする課題】
【０００４】
ガラスペンを修理またはメンテナンスする場合は、購入者または販売店がその製造元を特定して修理可能か否かを確認したうえで、修理品を製造元に送り修理依頼をしなくてはいけない現状である。ガラスペンが海外製の場合においては、現実的に不可能であり、高価な製品であっても諦めて廃棄している。
【課題を解決するための手段】
【０００５】
ペン先がガラス製の筆記具において、ガラス製ペン先に接続部をもうけ、穴部を有するペン軸に、前記接続部を着脱自在に取り付け可能とした。前記ペン軸の穴部が奥に向かって穴径が小さくなるテーパー構造を採用することが、好ましい。
【考案の効果】
【０００６】
本考案の筆記具はガラス製ペン先が着脱可能な構造で、手に馴染んだペン軸の筆記具を、ペン先を取り替えて使用することができる。
【図面の簡単な説明】
【０００７】
【図１】本考案に基づいて制作した実施例1である。
【図２】本考案に基づいて制作した実施例2である。
【考案を実施するための形態】
【０００８】
木製ペン軸の持ち手先端にガラス製ペン先の接続部径に合わせて、接続部の長さよりも若干深めの穴をあける。穴は奥に向かって穴径が小さくなるテーパー構造になっている。ガラス製ペン先の接続部を奥まで差し込むことで、木との摩擦によりペン先がしっかりと固定される。互いに接着しないことで着脱が可能になり、ガラス製ペン先の交換が容易にできる。
【実施例１】
【０００９】
以下、添付図面に沿って実施例を説明する。図1における符号1は酸素バーナーによって一体成形したホウ珪酸ガラス製ペン先で、ペン先溝はストレートである。符号2は木材(桜orホウ)にてろくろ成形したペン軸。符号Aはペン先の接続部で、符号Bはペン軸に空けた穴で奥に向かって穴径が小さくなるテーパー構造である。符号Aの接続部径と符号Bの穴径は同じで、穴の長さ(深さ)は接続部よりも長くなっている。符号Aを符号Bの穴に差し込むことで互いの摩擦力により、ペン先はペン軸にしっかりと固定される。
【実施例２】
【００１０】
図2における符号３は酸素バーナーによって一体成形したソーダガラス製ペン先で、ペン先の溝は螺旋状である。符号４は木材(欅or黒檀)にてろくろ成形したペン軸。符号Cはペン先の接続部で、符号Dはペン軸に空けた穴で奥に向かって穴径が小さくなるテーパー構造である。符号Cの接続部径と符号Dの穴径は同じで、穴の長さ(深さ)は接続部よりも長くなっている。符号Cを符号Dの穴に差し込むことで互いの摩擦力により、ペン先はペン軸にしっかりと固定される。
【００１１】
上記２例のようにガラス製ペン先をペン軸に固定する方法において、ペン先またはペン軸の材質および形状は限定されない。ペン軸素材は木材以外にアクリル樹脂・プラスチック・カーボン素材・軽金属(アルミ/チタン等)が使用できる。
【産業上の利用可能性】
【００１２】
ガラスペンはその装飾性において、一部のコレクターによる趣味的で高価な筆記具として知られている。本考案の筆記具は構造がシンプルで安全性が高いので、幅広い世代に受け入れられる。日常使いできる実用品としての要素が高く、価格は比較的安価に提供できるため、多くの人に使用してもらうことが可能になる。
【符号の説明】
【００１３】
１  ホウ珪酸ガラス製ペン先 
２  木製ペン軸
A  接続部
B  木製ペン軸に空けた穴
３  ソーダガラス製ペン先
４  木製ペン軸
C  接続部
D  木製ペン軸に空けた穴
【図１】
0003223923.tif 000003
【図２】
0003223923.tif 000004
【手続補正書】
【提出日】令和1年9月11日(2019.9.11)
【手続補正１】
【補正対象書類名】実用新案登録請求の範囲
【補正対象項目名】全文
【補正方法】変更
【補正の内容】
【実用新案登録請求の範囲】
【請求項１】
接続部を有するガラス製ペン先と、穴部を有するペン軸からなる筆記具であって、前記接続部が前記穴部に着脱自在に取り付けられた筆記具。
【請求項２】
ペン軸の穴部が奥に向かって穴径が小さくなるテーパー構造を有する請求項1に記載の筆記具。
(57)【要約】      （修正有）【課題】木製まな板において木口面及び木端面に漆による目止め材と漆による着色材を施すことにより、まな板としての機能面を損じることなく意匠面、衛生面が高められた製品を提供する。【解決手段】まな板としての木材板の木口面あるいは木口面４と木端面６に漆による目止め材を施す。その上に漆による着色材を施す。【選択図】図１
0003223924.tif 000002
【実用新案登録請求の範囲】
【請求項１】
木製のまな板の側面部には、漆による目止め層の表面に漆による着色層を形成した木製のまな板。
【請求項２】
前記まな板の目止め層は、米糊と木紛と漆が混合された目止め材を塗布することにより形成され、前記着色層は、漆に顔料や染料などの着色材を混合した着色材を前記目止め層の表面に塗布することにより形成された請求項１に記載の木製のまな板。
【考案の詳細な説明】
【技術分野】
【０００１】本考案は木製の調理用具であるまな板製品に関し、詳しくは側面部に漆を使った目止め材及び着色材を施したまな板製品に関する。
【背景技術】
【０００２】従来からある木製まな板においては防水性、抗菌性付加のために実用新案登録第３１４４５４９に開示されているように漆を使用面（全面あるいは上下面）に施すようにしている。
【先行技術文献】
【特許文献】
【０００３】
【特許文献１】実用新案登録第３１４４５４９号公報
【考案の開示】
【考案が解決しようとする課題】
【０００４】木製のまな板は樹脂製などのまな板と比較して適度な柔らかさがあり、刃物のあたりが良いなどの特徴があるが一方で細菌による黒ずみや吸水による木口割れ等が生じ衛生面及び外観面での問題があった。【０００５】まな板の使用面である上面及び下面に漆層を形成すると刃物使用による漆層の欠損あるいは刃物使用による変形の修復が困難である問題があった。【０００６】本考案の課題は側面にのみ前述の目止め材及び着色材を塗布することにより木製まな板としての機能性を保ちつつ、衛生面では大腸菌などの発生を減少させ尚且つ美的意匠性を付与されたまな板を提供することにある。
【課題を解決するための手段】
【０００７】上記課題を解決するために本考案による木製まな板は上下面を除く側面にのみ目止め材を木口面に練り付けその後着色材を塗布することを要旨としている。【０００８】また、まな板の目止め層は、米糊と木紛と漆が混合された目止め材を塗布することにより形成され、着色層は漆に顔料や染料などの着色材を混合した着色剤を目止め層の表面に塗布することにより形成するようにしている。
【考案の効果】
【０００９】本考案の木製まな板については、機能面と意匠面についての効果を得ることができる。まず機能面については側面部特に木口面には前述の目止め材を塗布することにより水分等の侵入を防ぎ、木口割れを防止する。次に前述の着色材を塗布することにより漆の持っている抗菌性により細菌等の発生を防ぐことができる。【００１０】上下面は白木の状態にすることにより、木製まな板本来の刃当たりの良さを維持することができる。また、長期間使用することによる使用面の変形を削り直すことを可能にする。【００１１】次に意匠面については前述の着色材を使うことにより多様な色彩表現を可能としまな板のデザインとなって美観を高めることができる。
【図面の簡単な説明】
【００１２】
【図１】本考案による木製まな板の実施例を示す斜視図である。
【図２】本考案による木製まな板の実施例を示す断面図である。
【考案を実施するための最良の形態】
【００１３】本考案によるまな板は美観と衛生面の観点からまな板としての機能を損ずることのないような漆による目止め材と着色材をまな板側面に施し、使用面である上下面は白木の状態にしている。【００１４】以下、図面に基づいて本考案の好適な具体的実施例について説明する。
図１に示す木製まな板において、図中の１，２はまな板の使用面である上及び下面を示す。図中の３、４は木目方向に対して直交する木口面を示す。図中の５、６は木目方向に対して平行な木端面を示す。図中のＡは木目方向を示す。【００１５】本考案におけるまな板とは、ヒノキや柳、イチョウなどの木材を厚さ１５ミリ〜４０ミリ程度に加工し、四角形あるいは不定形に成形した板である。そして木口面３，４あるいは木口面３，４と木端面５，６には、図２に示すように目止め層７を施し、更に着色層８を施す二重構造とする。【００１６】本考案における作業手順は次の通りである。
まず指定の大きさに加工したまな板の木口面３、４あるいは木口面３，４と木端面５，６に漆からなる目止め材をヘラ等で均一に塗布して目止め層７を形成する。
目止め材の乾燥後、木口面３、４、木端面５、６に前述の漆からなる着色材を数回塗り重ねていく。
乾燥後、上下面１および２を仕上げ研磨し、はみ出た目止め材及び着色材を除去し外観を整えて完成とする。なお、【００１７】本考案に用いられる目止め層７の目止め材の構成は、米糊と木紛に漆を適切は割合で混合したものである。
本考案に用いられる着色層８の着色材は漆に任意の顔料や染料を適切な割合で混合したものである。目止め層７と着色層８の二重構造は、木口面３，４のみでもよい。
【符号の説明】
【００１８】１  使用面
２  使用面
３  木口面
４  木口面
５  木端面
６  木端面
７  目止め層
８  着色層
【図１】
0003223924.tif 000003
【図２】
0003223924.tif 000004
(57)【要約】      （修正有）【課題】ラケット素振りの際に空気抵抗を増やすことにより、筋力増強を図りスイングスピードの向上を目的としたラケットカバーを提供する。【解決手段】ラケットフレームとラケット５の打球面４の一部を覆面する部分を有し、当該部分は伸縮性のある生地で形成され、当該部分の下部にはラケットシャフトを通す無縫製部分３があるラケットカバーであって、打球面の表及び裏に開口部２を設けた。【選択図】図１
0003223927.tif 000002
【実用新案登録請求の範囲】
【請求項１】
打球面の表及び裏に開口部を設けたラケットカバー
【請求項２】
ラケットフレームを覆面する素材は伸縮性のある生地を使用する。また本考案下部にはラケットシャフトを通す無縫製部分がある請求項１に記載のラケットカバー
【考案の詳細な説明】
【技術分野】
【０００１】
本考案はバトミントンラケットに装着してスイング時の負荷を高めると同時に実際にシャトルを打つことが出来るラケットカバーに関するものである。
【背景技術】
【０００２】
バトミントンのトレーニングの一つ、ラケットのスイングスピードの向上を目的としたものにはラケットに重りの装着やテーピングを施し、ラケット自体の重量を上げる事が行われている。またフレーム自体の重量を上げ、スイング時の負荷を高めた製品も存在する。しかしスイング時の空気抵抗は変わらないため実際にシャトルを打つ際の感覚が掴みにくいことが問題点として挙げられる。また打球面の面積を従来のラケットより小さくし、より打球面の中心（スイートスポット）でシャトルを打てるように工夫されたトレーニング専用ラケットも存在するが本考案は既存のラケットに装着するだけで同等の機能を実現可能である。
【０００３】
また特許文献１の様なカバーも考案されているが素振りの練習を前提としたものであり、実際にシャトルを打つことが可能なものではなかった。
【先行技術文献】
【特許文献】
【０００４】
【特許文献１】特開2004-097509
【考案の概要】
【考案が解決しようとする課題】
【０００５】
ラケットへの着脱が簡単に行え、素振りや実戦形式での練習にも利用可能なカバーの提供。
【課題を解決するための手段】
【０００６】
ラケット打球面の両側を被覆し、打球面の両側に開口部を設ける事で課題を解決する。
【考案の効果】
【０００７】
本考案のカバーの装着により空気抵抗が増す。また開口部より適度に空気が抜ける為、過度な抵抗になる事無くトレーニングが可能になる。
【０００８】
本考案のカバーには開口部が設けてあり打球面が露出している為、空気抵抗が増した状態でシャトルを打つ事も可能。また打球面が通常の状態よりも狭くなっているためラケットのセンターにシャトルを当てる意識が高まり、集中力を養うことが出来る。
【図面の簡単な説明】
【０００９】
【図１】本考案のラケットカバーをラケットに装着している様子を示す図である。
【図２】本考案のラケットカバーをラケットに装着した際の正面図である。
【産業上の利用可能性】
【００１０】
本考案はバドミントンの他、テニスなどスポーツ用品にも適用できる。
【符号の説明】
【００１１】
１  ラケットカバー
２  ラケットカバー開口部
３  ラケットシャフト挿入口
４  打球面
５  ラケット
【図１】
0003223927.tif 000003
【図２】
0003223927.tif 000004
【手続補正書】
【提出日】令和1年9月4日(2019.9.4)
【手続補正１】
【補正対象書類名】実用新案登録請求の範囲
【補正対象項目名】請求項２
【補正方法】変更
【補正の内容】
【請求項２】
ラケットフレームとラケットの打球面の一部を覆面する部分を有し、当該部分は伸縮性のある生地で形成され、当該部分の下部にはラケットシャフトを通す無縫製部分がある事を特徴とする請求項１に記載のラケットカバー。
(57)【要約】      （修正有）【課題】音響装置を有する血圧計により定期的に血圧測定し、血圧が上昇したときを感知して癒しのことばや音を流して、ストレスを解消させ薬物依存症者の再犯防止を図る血圧計を提供する。【解決手段】圧迫帯１で感知した血圧を、表示部２に表示するとともに、記録・呼出・報知ボタン４の操作により、血圧上昇時にイヤホン６に癒しのことば、癒しの音を流して血圧を管理するものである。【選択図】図１
0003223926.tif 000002
【実用新案登録請求の範囲】
【請求項１】
薬物依存者が血圧計で自己の平均血圧値を管理し、オーバーしたときには「どうしたの」などと話しかけて孤立感を除去し、さらに、癒し効果のあるミツバチの羽音やせせらぎの音などを流してストレスを解消させて、薬物使用の引きがねにならないよう体調管理できることを特徴とする電子血圧計である。
【考案の詳細な説明】
【技術分野】
【０００１】  本考案は、血圧計及び音響装置に関するものである。
【背景技術】
【０００２】  前記に示す血圧計は、特開２０１３−０３４４９９が被測定者の上腕を腕帯部に通した状態で、被測定者がリラックスするまで血圧測定を開始できないようにして正確な血圧測定を行うことを特徴としている音声報知機能付き電子血圧計であるが、これを改良し血圧測定後に、平常時との血圧の変動を感知し、癒しのことば、癒しの音を流してストレスを発散させ体調を管理するもの。
また、特開２０１８−０２３６２４の技術により、ストレスをためないように血圧測定をスムーズに行うことも併せ持つ。
【先行技術文献】
【特許文献】
【０００３】
【特許文献１】特開２０１３−０３４４９９  公報
【特許文献２】特開２０１８−０２３６２４  公報
【非特許文献】
【０００４】
【非特許文献１】
【考案の概要】
【考案が解決しようとする課題】
【０００５】  ストレスと血圧との相関関係は、周知のことである。
麻薬、覚せい剤等による薬物依存症者の再犯率が高く、社会問題になり強力な対策が進められている。薬物依存症者が再犯するきっかけになる引きがね期には、ストレスがたまり血圧が上昇している。この時期をコントロールすることによって、再犯を防止できる。
血圧測定を定期的に行い、平均値をオーバーしたとき、「どうしたの、なにかあったの」などと話しかけて孤立感を除去し、「ミツバチさんやせせらぎの音を聴いてからもう一度測りましょう」と、癒しの音を流してストレス状態から解放させて薬物依存症からの脱却を図るものである。
また、薬物依存症症者に限らず、自己の健康管理に有効な装置でもある。
【課題を解決するための手段】
【０００６】  前記に示す血圧計は、特開２０１３−０３４４９９並びに特開２０１８−０２３６２４を改良し、癒しのことば、癒しの音を流して血圧を管理するものである。
【考案の効果】
【００７】  本考案の装置は、一般家庭で使われる血圧計でも運用できる、低廉・軽易なもので、社会問題になっている麻薬、覚せい剤等による薬物依存症者のストレスをコントロールすることに依って再犯を防止するとともに、高血圧者の健康管理にも有効で、更生、厚生面で社会貢献できるものである。
【図面の簡単な説明】
【０００８】
【図１】本考案の血圧計の実施図である。
【考案を実施するための形態】
【０００９】  本考案は、特開２０１３−０３４４９９の音声報知機能付き電子血圧計を改良して、癒しのことば、癒しの音を録音内蔵し、前回と今回の平均血圧より高い血圧を感知したとき、癒しのことば、癒しの音が流れストレスを除去し体調を管理するもの。
なお、電子血圧計は、特開２０１８−０２３６２４のような、小型・軽量で性能も良く、使用にストレスを生じないようなものとし、血圧計の音響のみに集中するようイヤホンジャックを設けて、両耳用のイヤホンで音声を受信する。
【実施例】
【００１０】  １は、圧迫帯（カフ）  ２は、最高血圧、最低血圧等の表示部  ３は、開始・終了ボタン  ４は、記録・呼出・報知等ボタン  ５は、イヤホンジャック  ６は、両耳用のイヤホン  により構成する電子血圧計で、測定結果が反映されて音響が流れるもの。
【産業上の利用可能性】
【００１１】  比較的低コストの機器であり、経済的効果が期待できる。
【符号の説明】
【００１２】  １  圧迫帯（カフ）より          ２  表示部
３  開始・終了ボタン
４  記録・呼出・報知ボタン
５  イヤホンジャック
６  イヤホン
【図１】
0003223926.tif 000003
【手続補正書】
【提出日】令和1年8月26日(2019.8.26)
【手続補正１】
【補正対象書類名】実用新案登録請求の範囲
【補正対象項目名】全文
【補正方法】変更
【補正の内容】
【実用新案登録請求の範囲】
【請求項１】
測定者が血圧計で血圧を測定した際、血圧計が測定者の平均血圧値より上昇している血圧値を感知すると、音声を発することにより血圧値を降下させることを特徴とする降圧機能付き血圧計。
(57)【要約】      （修正有）【課題】蕎麦を成分として多くの人に好んで食される食感や風味を残した、美味しい揚げ麺菓子を提供する。【解決手段】日本蕎麦の生そば麺を適宜の温度のフライヤーにより揚げて、揚げ上がった麺の余熱を除去した後、当該そば麺の表面に適宜の味付けを施し、当該揚げそば麺を袋に収納した。【選択図】図１
0003223179.tif 000002
【実用新案登録請求の範囲】
【請求項１】
日本蕎麦の生そば麺を適宜の温度のフライヤーにより揚げて、揚げ上がった麺の余熱を除去した後、当該そば麺の表面に適宜の味付けを施し、当該揚げそば麺を袋に収納したことを特徴とする、揚げ麺菓子。
【請求項２】
揚げ麺菓子の表面への味付けは、そばつゆ味、コンソメ味、カレー味、その他の味付けとすることを特徴とする、揚げ麺菓子。
【考案の詳細な説明】
【技術分野】
【０００１】    本考案は、日本蕎麦のそば麺を加工した菓子に関するものであり、具体的には日本蕎麦のそば麺を通常の麺としてではなく、全く嗜好の異なる揚げ菓子としてそば麺の特性を生かした、揚げ麺菓子に関するものである。
【背景技術】
【０００２】    長野県の信州蕎麦は広く全国で食されているｙが、通常蕎麦の食仕方としては、生そばを茹で上げて，かけそばやもりそば等で食することが知られており、その他の食し方については、これまであまり試みられたことが少なかった。
【先行技術文献】
【特許文献】
【０００３】
【特許文献１】特許第４６９３７０５号公報
【特許文献２】実用新案登録第３１１００７４号
【考案の概要】
【考案が解決しようとする課題】
【０００４】    しかしながら、上記特許文献１で記載されている揚げ麺は、でんぷんを主成分とする食品原料を７０度から１００度未満の油で揚げて水分を残した状態でアルファ化（糊化）させ、さらにこの麺を二度揚げており食品同士の付着防止を目的としている。【０００５】  このような製造工程で新たな食品を作るとなると、工程は複雑となり、また何より多くの人に好んで食してもらえる食感や風味を引き出せないという課題があった。【０００６】  また、上記特許文献２で記載されている揚げ麺は、特許文献１に記載の食品の欠点を改善する技術が開示されているものの、揚げ麺としての食品が開示されているだけで、揚げ麺菓子としての記載は開示されていない。【０００７】    そこで、本考案は、蕎麦を成分として多くの人に好んで食される食感や風味を残したまま、これまでに無いさらに美味しい揚げ菓子を提供することを目的とする。
【課題を解決するための手段】
【０００８】    上記課題を解決するために、本考案の揚げ麺菓子は、日本蕎麦の生そば麺を適宜の温度のフライヤーにより揚げて、余熱をとった後、当該そば麺の表面に適宜の味付けを施し、当該揚げそば麺を袋に収納したことを課題解決するための手段とする。【０００９】  さらに、本考案の揚げ麺菓子の表面への味付けは、そばつゆ味、コンソメ味、カレー味、その他の味付けとすることを特徴とする。
【考案の効果】
【００１０】  本考案にかかる揚げ麺菓子は、蕎麦を成分とするそば麺を、通常の麺としてではなく全く嗜好の異なる揚げ麺菓子として、蕎麦元来の風味や香の特性を生かした麺菓子であり、食しては揚げ菓子特有のポリポリ感があり食感もよく、さらに、揚げ麺の表面には味付けされているため、極めて新規な菓子として顕著なる効果を有するものである。
【図面の簡単な説明】
【００１１】
【図１】は、本考案に係る揚げ麺菓子を示す図である。
【考案を実施するための最良の形態】
【００１２】    以下、本考案を実施するための最良の実施形態について説明を行う。
図１に本考案の実施形態の一例の揚げ麺菓子１を示す。
まず、本考案の揚げ麺菓子１を製造する前段階の作業として、公知の図示しないフライヤー装置において、ＡＶ（酸化）測定値が２以下であり、またＰＯＶ（過酸化物価）測定値が２０以下であることのそれぞれの条件に設定がなされていることを確認する。【００１３】    次に前記フライヤー装置において揚げ油の温度が１８０度になるように設定する。
そして、蕎麦を成分とする生そば麺を、製造する揚げ麺菓子１の大きさや長さに麺玉を調製し、前記フライヤーへ投入し規定の時間内の調理を行う。
揚げあがった麺はその後約２０分間余熱を除去し、その後に塩分を含むコンソメ風味味等の風味づけのフレーバーを均等にふり掛け、揚げ麺菓子１ができあがる。【００１４】揚げ麺菓子１を製造する麺についは、当該麺の太さ、長さ、及び断面形状に限定されるものではないが、ただ、麺の太さ、長さ及び断面形状によってはフライヤーでの揚げ時間が多少異なってくる。【００１５】  なお、図１に示すように揚げ麺菓子１を収納する袋には、好みによって素揚げしたタマネギ２等をいれたりし、揚げ麺菓子１に味の変化や彩りを加えてもよい。
【産業上の利用可能性】
【００１６】  従来より、長野県の信州蕎麦は全国で食されている。ただ、通常、麺の食し方としては、かけそば、もりそば等により食されているが、本考案にかかる揚げ麺菓子１は、そば麺を通常の麺としてではなく、全く嗜好の異なる菓子として、麺の特性等を生かした揚げ麺菓子１とするものであり、食しては揚げ菓子１特有のポリポリ感があり、まことに美味であり、また食感も良いので、菓子産業での利用可能性は極めて大である。
【符号の説明】
【００１７】１    揚げ麺菓子
２    素揚げしたタマネギ
【図１】
0003223179.tif 000003
【手続補正書】
【提出日】平成31年3月27日(2019.3.27)
【手続補正１】
【補正対象書類名】実用新案登録請求の範囲
【補正対象項目名】請求項１
【補正方法】変更
【補正の内容】
【請求項１】
日本蕎麦の生そば麺を適宜の温度のフライヤーにより揚げて、余熱を除去した後、表面に適宜の味付けを施した揚げそば麺と、前記揚げそば麺を収納した袋からなる、揚げ麺菓子。
【手続補正２】
【補正対象書類名】実用新案登録請求の範囲
【補正対象項目名】請求項２
【補正方法】変更
【補正の内容】
【請求項２】
前記揚げそば麺の表面への味付けは、そばつゆ味、コンソメ味、カレー味とする、請求項１に記載の揚げそば麺を収納した袋からなる、揚げ麺菓子。
(57)【要約】      （修正有）【課題】ＩＣカードその他のカードを収納でき、携帯に便利で、カードの出し入れが容易なカードケースを提供する。【解決手段】両端に着脱可能な留め具を有するストラップと、ストラップの前記留め具が着脱可能な金具を有する本体と、本体の表面に設けられ、底辺と左側辺が縫い合わされ、上辺と右側辺が解放され且つ右上端にスナップボタンが設けられたカード収納部と、を有する。カードケースのカード収納部の右上端に設けられたスナップボタンは、右上端を背面側に折り込んだうえで、本体の背面に設けられたスナップボタンと着脱可能であり、カードの出し入れが容易である。【選択図】 図１１
0003223192.tif 000002
【実用新案登録請求の範囲】
【請求項１】
両端に着脱可能な留め具を有するストラップと、
前記ストラップの前記留め具が着脱可能な金具を有する本体と、
前記本体の表面に設けられ、底辺と左側辺が縫い合わされ、上辺と右側辺が解放され且つ右上端にスナップボタンが設けられたカード収納部と、
を備えたことを特徴とするカードケース。
【請求項２】
前記カード収納部の右上端に設けられたスナップボタンは、前記右上端を背面側に折り込んだうえで、前記本体の背面に設けられたスナップボタンと着脱可能であることを特徴とするカードケース。
【考案の詳細な説明】
【技術分野】
【０００１】
本考案は、ストラップを備え、内側にICカードその他のカードを収納できるカードケースに関するものである。
【背景技術】
【０００２】
従来より、ICカードその他のカードを収納できる様々な形態のカードケースが考案されている。
【考案の概要】
【考案が解決しようとする課題】
【０００３】
この考案の目的は、ストラップを備え、内側にICカードその他のカードを収納できるカードケースを提供する。
【課題を解決するための手段】
【０００４】
この考案のカードケースは、両端に着脱可能な留め具を有するストラップと、前記ストラップの前記留め具が着脱可能な金具を有する本体と、前記本体の表面に設けられ、底辺と左側辺が縫い合わされ、上辺と右側辺が解放され且つ右上端にスナップボタンが設けられたカード収納部と、を備えたことを特徴とする。
【０００５】
この考案によれば、カード収納部に収納したICカードその他のカードの出し入れが容易である。
【０００６】
また、この考案のカードケースのカード収納部の右上端に設けられたスナップボタンは、前記右上端を背面側に折り込んだうえで、前記本体の背面に設けられたスナップボタンと着脱可能であることを特徴とする。
【０００７】
この考案によれば、ICカードその他のカードがカードケースから脱落しにくい。
【図面の簡単な説明】
【０００８】
【図１】この考案にかかるカードケースの平面図である。
【図２】図１に示したカードケースの底面図である。
【図３】図１に示したカードケースの正面図である。
【図４】図１に示したカードケースの背面図である。
【図５】図１に示したカードケースの右側面図である。
【図６】図１に示したカードケースの左側面図である。
【図７】図１に示したカードケースのストラップの両端を本体に留めた状態を示す参考底面図である。
【図８】図１に示したカードケースのストラップの両端を本体に留めた状態を示す参考平面図である。
【図９】図１に示したカードケースのストラップを環状にして使用する状態を示す参考底面図である。
【図１０】図１に示したカードケース本体のボタンを外した状態を示す参考平面図である。
【図１１】図１に示したカードケース本体のボタンを外してカードを出し入れする状態を示す参考平面図である。
【考案を実施するための形態】
【０００９】
以下、本考案の実施の形態について、図面を示しながら詳細に説明する。
【００１０】
図１は、この考案にかかるカードケースの平面図であり、図２は、底面図である。図３は、図１に示したカードケースの正面図であり、図４は、背面図である。図５は、図１に示したカードケースの右側面図であり、図６は左側面図である。図７は、図１に示したカードケースのストラップの両端を本体に留めた状態を示す参考底面図であり、図８は、カードケースのストラップの両端を本体に留めた状態を示す参考平面図である。図９は、図１に示したカードケースのストラップを環状にして使用する状態を示す参考底面図である。図１０は、カードケース本体のボタンを外した状態を示す参考平面図であり。図１１は、カードケース本体のボタンを外してカードを出し入れする状態を示す参考平面図である。
【００１１】
図１から図６に示すように、この考案のカードケースは、両端に着脱可能な留め具を有するストラップと、底辺と左側辺が縫い合わされ、上辺と右側辺が解放されたカード収納部と、を備えている。また、図７から図１１に示すように、ストラップの長さを様々な長さに調節して使用することができる。
【００１２】
ストラップの両端に設けられた留め具は、カラビナやカニカンである。図７に示すように、ストラップの両端を本体に留めて使用したり、図９に示すように、ストラップを環状にして使用することができる。また、この考案のカードケースのカード収納部の右上端は、背面に折り込んで、背面に設けられたスナップボタンと着脱可能である。図１０及び図１１に示すように、スナップボタンを外してICカードその他のカードの出し入れを容易に行うことができる。
【図１】
0003223192.tif 000003
【図２】
0003223192.tif 000004
【図３】
0003223192.tif 000005
【図４】
0003223192.tif 000006
【図５】
0003223192.tif 000007
【図６】
0003223192.tif 000008
【図７】
0003223192.tif 000009
【図８】
0003223192.tif 000010
【図９】
0003223192.tif 000011
【図１０】
0003223192.tif 000012
【図１１】
0003223192.tif 000013
【手続補正書】
【提出日】令和1年7月29日(2019.7.29)
【手続補正１】
【補正対象書類名】実用新案登録請求の範囲
【補正対象項目名】全文
【補正方法】変更
【補正の内容】
【実用新案登録請求の範囲】
【請求項１】
両端に着脱可能な留め具を有するストラップと、
前記ストラップの前記留め具が着脱可能な金具を有する本体と、
前記本体の表面に設けられ、底辺と左側辺が縫い合わされ、上辺と右側辺が解放され且つ右上端にスナップボタンが設けられたカード収納部と、
を備えたことを特徴とするカードケース。
【請求項２】
前記カード収納部の右上端に設けられたスナップボタンは、前記右上端を背面側に折り込んだうえで、前記本体の背面に設けられたスナップボタンと着脱可能であることを特徴とする請求項１に記載のカードケース。